(57)【要約】【課題】携帯電話機等の携帯端末機を用いて自動改札等の所定の処理ができるようにする。【解決手段】利用者の所持する携帯端末機が所定の処理機のアンテナの通信範囲に入ったときに、その携帯端末機とその所定の処理機との間でデータ授受を行って所定の処理を行う携帯端末機を用いた処理システムにおいて、前記携帯端末機内にその携帯端末機を駆動する電池及び前記所定の処理機のアンテナから送信される電力波を受信してその携帯端末機を駆動する電力を生成する電力生成回路を設け、前記所定の処理機のアンテナの通信範囲に前記携帯端末機が入ったときに、前記電池の電源でその携帯端末機を駆動できるときはその電池でその携帯端末機を駆動させ、その電池の電源でその携帯端末機を駆動できないときは前記電力生成回路の電源でその携帯端末機を駆動させる切換手段を設ける。【選択図】　　　図３
2004078734.tif 000002
【特許請求の範囲】
【請求項１】
利用者の所持する携帯端末機が所定の処理機のアンテナの通信範囲に入ったときに、その携帯端末機とその所定の処理機との間でデータ授受を行って所定の処理を行う携帯端末機を用いた処理システムにおいて、
前記携帯端末機内にその携帯端末機を駆動する電池及び前記所定の処理機のアンテナから送信される電力波を受信してその携帯端末機を駆動する電力を生成する電力生成回路を設け、
前記所定の処理機のアンテナの通信範囲に前記携帯端末機が入ったときに、前記電池の電源でその携帯端末機を駆動できるときはその電池でその携帯端末機を駆動させ、その電池の電源でその携帯端末機を駆動できないときは前記電力生成回路の電源でその携帯端末機を駆動させる切換手段を設けた、
ことを特徴とする携帯端末機を用いた処理システム。
【請求項２】
請求項１に記載の携帯端末機を用いた処理システムにおいて、携帯端末機は、携帯電話機であることを特徴とする携帯端末機を用いた処理システム。
【請求項３】
請求項１又は２に記載の携帯端末機を用いた処理システムにおいて、所定の処理機は、非接触式自動改札機であることを特徴とする携帯端末機を用いた処理システム。
【発明の詳細な説明】
【０００１】
【発明の属する技術分野】
本発明は、利用者の所持する携帯電話機等の携帯端末機を用いて入出場処理等の所定の処理を行うことのできる携帯端末機を用いた処理システムに関する。
【０００２】
【従来の技術】
近年、首都圏を中心に運用されている無線通信機能を備えたＩＣカードからなる非接触券を用いた非接触式自動改札処理システムは、非接触券を非接触式自動改札機のアンテナに軽くタッチして、又はそのアンテナにかざすことにより、そのアンテナから送信されている電力波を受けて非接触券内で電力を生成し、その生成された電力を用いて非接触券を駆動するように構成されている。そして、生成された電力で非接触券が駆動されると、非接触券と非接触式自動改札機との間でデータ授受が行われて入出場（入場又は出場を意味している。）処理が行われる。この非接触式自動改札処理システムは、利用者（旅客）が定期券入れから定期券を出し入れする必要がないなどの利便を得ることができる特長がある。
【０００３】
また、近年、ＩＴ化の進展に伴い、多くの利用者が携帯電話機やＰＤＡ（Ｐｅｒｓｏｎａｌ　Ｄｉｇｉｔａｌ　Ａｓｉｓｔａｎｃｅ）等の無線通信機能を備えた携帯端末機を所持するようになってきている。そこで、本出願人は、特開２００１−５２２１３号公報や特願２００２−２３２８４０号等において、携帯端末機に非接触券の機能を持たせてその携帯端末機を用いて入出場処理することのできる非接触式自動改札機を提案している。この携帯端末機を利用したときは、利用者は非接触券を所持する必要がなく、また、非接触券の内容を表示画面で確認することができる等の利便を得ることができる。
【０００４】
ところで、携帯端末機に非接触券の機能を持たせた場合であっても、携帯端末機を駆動させる電池が容量不足となって、つまり電池切れとなって非接触券の機能が停止しないようにするために、従来の非接触券と同様に、非接触式自動改札機側からの電力波を受けて駆動電力を発生させる電力生成回路が設けられることが考えられる。。
【０００５】
【発明が解決しようとする課題】
しかしながら、携帯端末機に組込まれている非接触券の機能を外部からの電力波を受けて電力を生成させる電力生成回路のみで駆動させようとすると、駆動電力不足による交信不良を未然に防止するために、常に携帯端末機をアンテナの通信範囲内に確実に入らせるようにするために携帯端末機をアンテナに軽くタッチさせる、いわゆるタッチアンドゴーを利用者に強いることとなる。また、このタッチの際、携帯端末機に振動を与える不都合が発生する。
【０００６】
そこで、本発明は、上述の不都合を解消すべく、携帯端末機の電池が十分なときはその電池を利用でき、電池切れのときは電力生成回路で駆動することのできる携帯端末機を用いた処理システムを提供することを目的としている。
【０００７】
【課題を解決するための手段】
本発明に係る携帯端末機を用いた処理システムは、上記目的を達成するために、請求項１に記載の発明は、利用者の所持する携帯端末機が所定の処理機のアンテナの通信範囲に入ったときに、その携帯端末機とその所定の処理機との間でデータ授受を行って所定の処理を行う携帯端末機を用いた処理システムにおいて、前記携帯端末機内にその携帯端末機を駆動する電池及び前記所定の処理機のアンテナから送信される電力波を受信してその携帯端末機を駆動する電力を生成する電力生成回路を設け、前記所定の処理機のアンテナの通信範囲に前記携帯端末機が入ったときに、前記電池の電源でその携帯端末機を駆動できるときはその電池でその携帯端末機を駆動させ、その電池の電源でその携帯端末機を駆動できないときは前記電力生成回路の電源でその携帯端末機を駆動させる切換手段を設けた、ことを特徴としている。
本発明の請求項２に記載の携帯端末機を用いた処理システムは、携帯端末機は、携帯電話機であることを特徴としている。
本発明の請求項３に記載の携帯端末機を用いた処理システムは、所定の処理機は、非接触式自動改札機であることを特徴としている。
【０００８】
【発明の実施の形態】
以下、本発明の実施の形態を図面に基づいて説明する。図１は、携帯端末機を携帯電話機（以下、携帯電話で説明する。）Ｈとし、処理機を非接触式自動改札機（以下、改札機で説明する。）Ｇとしたときの斜視図である。この改札機Ｇの筐体Ｇ′の入口側の上面には、携帯電話Ｈ及び図示しない非接触券（以下、携帯電話Ｈを中心に説明する。）と交信するためのアンテナａが設けられている。そして、その筐体Ｇ′の改札通路Ｐの入口側には、改札機Ｇの使用状態、つまり改札通路Ｐを通過できるか否かを利用者に表示するための表示部１が設けられている。また、図１中、Ｓ，Ｓ…は、改札通路Ｐへの利用者の進入又はその改札通路Ｐからの退出、あるいは、通過を検知するための光電式の人間検知器であって、筐体Ｇ′の側面に所定の間隔を保って設けられている。さらに、この人間検知器は、筐体Ｇ１　の上面の改札通路Ｐと反対側で、その改札通路Ｐの通過方向に沿って設けられたセンサ取付ボックス２内に設けられている反射型センサからなる人間検知器Ｓ′，Ｓ′…によっても構成されている。この反射型センサからなる人間検知器Ｓ′，Ｓ′…は、改札通路Ｐ内の大人の利用者を検知できるように、改札通路Ｐの床面から所定高さ以上の物体（利用者）を検知できるように構成されている。
【０００９】
筐体Ｇ′の側面には、利用者に対して音声により所定の案内をアナウンスするためのスピーカ３が取付けられているとともに、その筐体Ｇ′の側面の改札通路Ｐの出口側及び進入側には、ドアＤ１　，Ｄ２　がそれぞれ設けられている。また、筐体Ｇ′の上面のほぼ中央部には、利用者に対して文字や記号により所定の案内を行うための表示画面４が取付けられている。
【００１０】
図１中、５は、改札機Ｇの動作を司どる制御器であり、マイクロコンピュータを中心に構成されている。そして、この制御器５は、携帯電話Ｈとの間でデータの授受を行うための上述のアンテナａを接続したリーダライタＲ（後述の図２参照）が接続されている。
【００１１】
図２は、改札機Ｇの制御器５及び携帯電話Ｈの電気的構成を示すブロック図であって、改札機Ｇに設けられている制御器５側から説明すると、この制御器５の制御部６は、メモリ７に記憶されているシステムプログラム及びワーキングデータを用いて演算処理を行って、改札機Ｇを統括的に制御できるように構成されている。そして、この制御部６には、図示しないＩ／Ｏユニットを介してドアＤ１　，Ｄ２　を駆動制御するドア駆動ユニット８と、表示画面４の表示内容を駆動制御する表示画面駆動ユニット９とが接続されている。なお、この制御部６には、Ｉ／Ｏユニットを介してスピーカ３の音声を駆動制御する音声駆動ユニットや人間検知器Ｓ，Ｓ…、Ｓ′，Ｓ′…の検知信号を入力するためのセンサアンプ等が接続されているが、ここでは省略されている。
【００１２】
リーダライタＲには、携帯電話Ｈと交信を行うための上記アンテナａが接続されている。なお、このアンテナａは、携帯電話Ｈや図示しない非接触券とデータ授受を行う機能と、その携帯電話Ｈや非接触券に電力を供給する機能を有している。
【００１３】
携帯電話Ｈは、周知の携帯電話器として機能する携帯電話器ユニット（送受話器ユニット）ｈの外に、周知の非接触券として機能する部材（非接触式のＩＣカード）が含まれている。すなわち、この携帯電話Ｈには、上述の携帯電話器ユニットｈ以外に、アンテナ１０を介して改札機Ｇ側と交信するための通信制御部１１と、携帯電話Ｈを統括的に制御するＣＰＵ１２と、メモリ１３と、アンテナ１０を介して改札機Ｇから送信されてくる電力波を整流処理等して駆動電力を生成する電力生成回路１４と、携帯電話Ｈ全体の駆動電源用としての電池Ｅからのでんげん及び電力生成回路１４からの電源を切換える切換制御回路（本発明の切換手段を担っている。）１５とが設けられている。上記メモリ１３には、ＣＰＵ１２の演算処理用のシステムプログラムが記憶されているとともに、図３の下部右側に示されるように、そのメモリ１３の定期券データ記憶部１３ａには、乗車区間や有効期間等の定期券データが、また、金額データ記憶部１３ｂには、定期券の乗車区間外を乗車したり、あるいは商品購入時に決済処理することができる金額データ（ＳＦデータ）が記憶されている。このメモリ１３内へのこれら定期券データ及び金額データの書込み（記憶）は、駅等の所定の場所に設けられるデータ書込機により行うことができる他に、携帯電話Ｈを鉄道会社の本社や金融機関のホストコンピュータに接続して行うこともできる。
【００１４】
なお、上述の通信制御部１１、ＣＰＵ１２及びメモリ１３は、説明を容易にするために、携帯電話器ユニット（送受話器ユニット）ｈと別体として示されているが、携帯電話器ユニットｈに設けられている共通する各部材と共用してもよいことはもちろんである。
【００１５】
以下、図３のフローチャートを用いて制御動作について説明する。今、利用者が携帯電話Ｈを所持して入出場しようとしているものとする。そして、その利用者により携帯電話Ｈがアンテナａの通信範囲内に差し出されると（ステップ１００肯定、以下、ステップを「Ｓ」とする。）、アンテナ１０を介してそのアンテナａから出力されている電力波が電力生成回路１４に受信される（Ｓ１０２）。
【００１６】
ＣＰＵ１２は、電力生成回路１４が電力波を受信したことをもって、切換制御回路１５を介して電池Ｅのスイッチ（図示せず。なお、このスイッチは、携帯電話Ｈの電源をＯＮ，ＯＦＦするスイッチと異なる。この携帯電話Ｈの電源をＯＮ，ＯＦＦするスイッチがＯＦＦのときでも切換制御回路１５の出力によりＯＮ，ＯＦＦされる。）をＯＮに制御する（Ｓ１０４）。これにより、携帯電話Ｈに組込まれている非接触券機能が電池Ｅにより駆動される状態となる。したがって、携帯電話Ｈに組込まれている非接触券機能は、電池Ｅから安定した電力を受けて改札機Ｇとの間で安定したデータ授受が行われて入出場処理が行われる（Ｓ１０６肯定、Ｓ１０８）。そして、一連の入出場処理が終了すると、上述の電池Ｅのスイッチが切換制御回路１５によりＯＦＦとされる（Ｓ１１２）。
【００１７】
ところで、切換制御回路１５により電池ＥがＯＮにされたときにおいて、その電池Ｅが電池切れを起こしているときは（Ｓ１０６否定）、その電池Ｅにより携帯電話Ｈの非接触券機能を駆動させることができないので、この場合は、周知の非接触券のときと同様に、電力生成回路１４で生成された電力により携帯電話Ｈの非接触券機能が駆動される（Ｓ１０９）。したがって、携帯電話Ｈの電池Ｅが切れていても、電力生成回路１４で生成された電力により入出場処理を行うことができる。
【００１８】
なお、上述の例では、携帯端末機を携帯電話Ｈで説明したが、ＰＤＡや他の無線通信機能を備えた携帯端末機であってもよい。また、処理機を非接触式自動改札機としたが、所定の商品を購入したときの支払機等であってもよい。さらに、上述の非接触式自動改札機は、磁気券も処理できる兼用型であってもよい。
【００１９】
【発明の効果】
本発明の請求項１に記載の携帯端末機を用いた処理システムは、携帯端末機内にその携帯端末機を駆動する電池及び所定の処理機のアンテナから送信される電力波を受信してその携帯端末機を駆動する電力を生成する電力生成回路を設け、前記所定の処理機のアンテナの通信範囲に前記携帯端末機が入ったときに、前記電池の電源でその携帯端末機を駆動できるときはその電池でその携帯端末機を駆動させ、その電池の電源でその携帯端末機を駆動できないときは前記電力生成回路の電源でその携帯端末機を駆動させる切換手段を設けたので、電池を用いた安定した交信を行って効率のよい処理を行うことができる。
本発明の請求項２に記載の携帯端末機を用いた処理システムは、携帯端末機を携帯電話としたので、広く普及している携帯電話を用いることができる。
本発明の請求項３に記載の携帯端末機を用いた処理システムは、所定の処理機を非接触式自動改札機としたので、効率のよい入出場処理を行うことができる。
【図面の簡単な説明】
【図１】本発明の一実施の形態に係る携帯端末機を用いた処理システムにおいて、処理機を非接触式自動改札機とし、携帯端末機を携帯電話機としたときのその非接触式自動改札機及び携帯電話機の斜視図である。
【図２】電気的構成を示すフローチャートである。
【図３】制御動作を示すフローチャートである。
【符号の説明】
Ｇ　非接触式自動改札機（改札機、処理機）
Ｈ　携帯電話機（携帯電話、携帯端末機）
【図１】
2004078734.tif 000003
【図２】
2004078734.tif 000004
【図３】
2004078734.tif 000005